(57)【要約】【課題】傾斜検出装置において、電力消費を低減する。【解決手段】複数方向の傾きを検出可能な傾斜検出装置であり、所定の複数方向の傾きを検出可能とする傾斜検出部２と、この傾斜検出部２が検出する傾きの方向を切り換える検出方向制御部４を備える。傾斜検出部２は２つの検出状態を備え、一つの検出状態は、所定の複数方向の傾きのうちの第１の方向の傾きのみを常時検出可能とする第１の検出状態であり、他の検出状態は、所定の複数方向の傾きのうちの第２の方向の傾きを検出可能とする第２の検出状態である。検出方向制御部４は、トリガー信号に基づいて、傾斜検出部２の検出状態を第１の検出状態から第２の検出状態に切り換え、複数の傾きの少なくとも一部の所定方向の傾きを検出可能な状態に切り換える。【選択図】図１
2007271464.tif 000002
【特許請求の範囲】
【請求項１】
複数方向の傾きを検出可能な傾斜検出装置において、
所定の複数方向の傾きを検出可能とする傾斜検出部と、
トリガー信号に基づいて、前記傾斜検出部において前記複数の傾きの少なくとも一部の所定方向の傾きを検出可能な状態に切り換える検出方向制御部とを備え、
前記傾斜検出部は、
前記所定の複数方向の傾きのうちの第１の方向の傾きのみを常時検出可能とする第１の検出状態と、
前記所定の複数方向の傾きのうちの第２の方向の傾きを検出可能とする第２の検出状態との２つの検出状態を備え、
前記検出方向制御部は、前記トリガー信号に基づいて、前記第１の検出状態から前記第２の検出状態に切り換えることを特徴とする、請求項１に記載の傾斜検出装置。
【請求項２】
前記第２の検出状態では、前記第２の方向の傾きと、前記第１の方向の傾きの両方の傾きを検出可能とすることを特徴とする請求項１に記載の傾斜検出装置。
【請求項３】
前記傾斜検出部は、第１の方向の傾きを検出して傾き検出信号を出力し、
前記検出方向制御部は、前記傾き検出信号を前記トリガー信号として入力することを特徴とする、請求項１または２の何れかに記載の傾斜検出装置。
【請求項４】
前記第１の方向の傾き検出信号又は第２の方向の傾き検出信号、あるいは両傾き検出信号に基づいて、傾斜検出装置が所定の傾斜状態であるかを判別する傾き判別部を備えことを特徴とする、請求項１から３の何れか一つに記載の傾斜検出装置。
【請求項５】
前記傾き判別部は、第１の方向の傾きの継続時間、又は前記継続時間後における第２の方向の傾きの有無に基づいて傾斜状態を判別することを特徴とする請求項４に記載の傾斜検出装置。
【請求項６】
前記第２の検出状態では、前記複数方向の全ての方向の傾きが検出可能であることを特徴とする請求項１から５の何れか一つに記載の傾斜検出装置。
【請求項７】
前記第１の方向は、複数方向のうちの一つの方向であることを特徴とする請求項１から６の何れか一つに記載の傾斜検出装置。
【請求項８】
前記傾斜検出部は、複数の傾き検出センサを備え、
複数の傾き検出センサのうちの第１の方向の傾きを検出する傾き検出センサを電源と常時接続とすることにより第１の方向の傾きを常時検出可能な第１の検出状態とし、
前記検出方向制御部は、前記トリガー信号に基づいて、前記第２の方向の傾きを検出する傾き検出センサを電源と接続することにより第２の方向の傾きを検出可能な第２の検出状態に切り換えることを特徴とする、請求項１から７の何れか一つに記載の傾斜検出装置。
【請求項９】
スイッチ部を有し、
前記検出方向制御部は、前記スイッチ部の動作信号を前記トリガー信号として入力することを特徴とする、請求項１に記載の傾斜検出装置。
【請求項１０】
外部から少なくとも受信信号を受信する通信部を有し、
前記検出方向制御部は、前記通信部の受信状態信号を前記トリガー信号として入力することを特徴とする、請求項１に記載の傾斜検出装置。
【請求項１１】
前記請求項４または５に記載の傾斜検出装置を具備する電子機器であって、
当該電子機器が備える所定機能を制御する機能制御部とを備え、
前記機能制御部は、前記傾き判別部による傾斜状態に基づいて所定機能を制御することを特徴とする電子機器。
【請求項１２】
所定の情報を表示する表示部と
前記表示部の表示制御を行う表示制御部とを備え、
前記表示制御部は、前記傾き判別部による所定の傾斜状態の判別結果に基づいて、所定の傾斜状態であるとき表示部を所定時間表示し、所定の傾斜状態でないとき表示部を消灯表示することを特徴とする、請求項１１に記載の電子機器。
【請求項１３】
前記表示制御部は、前記傾き判別部による所定の傾斜状態の判別結果に基づいて、所定の傾斜状態であるとき表示部に表示する情報を切り換えることを特徴とする、請求項１１に記載の電子機器。
【請求項１４】
前記請求項４または５に記載の傾斜検出装置を具備する電子腕時計であって、
前記傾斜検出装置は、前記第１の方向として所定の複数の時刻方向のうちの少なくとも一つの時刻方向を検出し、前記第２の方向として少なくとも前記時刻方向以外の時刻方向を検出することを特徴とする、電子腕時計。
【請求項１５】
前記傾き判別部は、前記検出状態に基づいて電子腕時計の傾斜状態を判別することを特徴とする、請求項１４に記載の電子腕時計。
【請求項１６】
前記表示部は、傾き判別部による所定の傾斜状態の判別結果に基づいて、所定情報として時刻情報を表示することを特徴とする、請求項１５に記載の電子腕時計。
【請求項１７】
前記第１の方向が６時方向を垂下方向とする方向であり、前記第２の方向が６時方向以外の方向を垂下方向とする方向であることを特徴とする、請求項１４から請求項１６の何れか一つに記載の電子腕時計。
【請求項１８】
外部から少なくとも受信信号を受信する通信部を備え、
前記通信部は、傾き判別部による所定の傾斜状態の判別結果に基づいて、所定情報として通信情報を前記表示部に表示させることを特徴とする、請求項１４から請求項１７の何れか一つに記載の電子腕時計。
【請求項１９】
前記検出方向制御部は、前記第２の検出状態に切り換わってから所定時間が経過すると、前記第１の検出状態に復帰することを特徴とする、請求項１４から請求項１８の何れか一つに記載の電子腕時計。
【請求項２０】
前記請求項４または５に記載の傾斜検出装置を具備する携帯通信機器であって、
外部から少なくとも受信信号を受信する通信部を備え、
前記通信部は、傾き判別部による所定の傾斜状態の判別結果に基づいて、所定情報として通信情報を前記表示部に表示させることを特徴とする携帯通信機器。
【発明の詳細な説明】
【技術分野】
【０００１】
本発明は、傾斜検出装置、およびこの傾斜検出装置を備えた電子機器、電子腕時計、携帯通信端末に関する。
【背景技術】
【０００２】
物体の姿勢を検出するために、３軸や２軸の傾斜センサを用いて傾斜検出が行われる（例えば、特許文献１参照）。この３軸や２軸の傾斜センサを用いた傾斜検出では、傾斜検出を行う方向毎に傾斜センサを配置し、これらの傾斜センサの全てに電源を供給して駆動させ、検出待機状態としている。
【０００３】
この姿勢検出を適用する分野例として、電子腕時計の表示制御も知られている（例えば、特許文献２参照）。この電子腕時計では、キースイッチの他に姿勢スイッチを備え、この姿勢スイッチによって腕時計の姿勢が維持されているか、あるいは腕を振る等の動作によって腕時計の姿勢が変化したかを検出し、これに基づいて表示の点灯、消灯の制御を行っている（例えば、特許文献２参照）。
【特許文献１】特開２００５−１４０７０２号公報
【特許文献２】特開昭５３−９５６６９号公報
【発明の開示】
【発明が解決しようとする課題】
【０００４】
通常、腕時計は使用者の腕に着けて使用することを念頭とするものの、このような使用状況に限らず様々な状況で使用される。例えば、必ずしも使用されている場合ばかりではなく、使用者が腕に着けない場合や、使用者が腕に着けていている場合であっても、表示の点灯、消灯表示制御を行わない場合もある。
【０００５】
このような様々な使用状況において、特許文献２に記載の腕時計では、使用者が、いつ、傾斜に基づく表示の点灯・消灯操作を行うかがわからないため、傾斜センサには常に電源を供給する必要がある。
【０００６】
このように傾斜センサに常に電源を供給する必要があることは、腕時計に限ったことではない。腕時計を含む種々の電子機器において、傾斜を検出する必要がある使用状態では（例えば、複数モードのうちの傾斜検出を必要とするモードなどでは）、電子機器やその使用状態によって傾斜検出の頻度に差があり、また、いつ傾斜検出が必要となるかを予め定めることができないため、傾斜検出装置に常に電源を供給して、電子機器の傾斜に対して常時対応できるようにしておく必要がある。
【０００７】
したがって、傾斜検出装置を備えた電子機器は、傾斜検出装置によって多くの電力を消費してしまうことになり、特に、複数方向を検出する傾斜検出装置は、複数方向の検出のために検出回路が増える上に回路構成も複雑となるため、さらに多くの電力を消費してしまうという問題があった。
【０００８】
そこで、本発明は従来の問題を解決し、所定の複数方向の傾きを検出可能な傾斜検出装置において、電力消費を低減することを目的とする。
【課題を解決するための手段】
【０００９】
本発明の傾斜検出装置は、電源供給を二系統とし、傾斜方向の検出が不要でトリガの検出を行う場合には、一方の電源供給のみを行い、他方の電源供給は行わないことによって、電力消費を低減する。
【００１０】
本発明の傾斜検出装置は、複数方向の傾きを検出可能な傾斜検出装置であって、所定の複数方向の傾きを検出可能とする傾斜検出部と、この傾斜検出部が検出する傾きの方向を切り換える検出方向制御部を備える。
【００１１】
傾斜検出部は２つの検出状態を備える。一つの検出状態は、所定の複数方向の傾きのうちの第１の方向の傾きのみを常時検出可能とする第１の検出状態であり、他の検出状態は、所定の複数方向の傾きのうちの第２の方向の傾きを検出可能とする第２の検出状態である。
【００１２】
検出方向制御部は、トリガー信号に基づいて、傾斜検出部の検出状態を第１の検出状態から第２の検出状態に切り換え、複数の傾きの少なくとも一部の所定方向の傾きを検出可能な状態に切り換える。
【００１３】
ここで、第１の方向は、複数の方向のうちから選択した特定の方向であり、複数方向のうちの一つの方向とする他、複数の方向としても良い。
【００１４】
また、第２の方向は、第１の方向と異なる方向である。なお、第２の方向は、第１の方向を除いたと全ての方向に限らず、第１の方向を除いたと全ての方向から選択した方向としてもよい。
【００１５】
傾斜検出装置を電子腕時計に適用した構成では、第１の方向は、例えば６時の方向を垂下方向とし、第２の方向は、６時の方向以外の例えば３時、９時、１２時等を垂下方向とする。
【００１６】
第１の検出状態は、動作トリガのために特定方向のみの傾斜を検出する検出状態であり、この第１の検出状態において、その特定方向の傾斜を検出する傾斜センサにのみ電力を供給する。一方、第２の検出状態は、いずれの方向に傾いているかを検出する検出状態であり、この第２の検出状態において、傾き方向を検出しようとする全ての傾斜センサに電力を供給する。これによって、電力供給を目的に応じて切り換え、不要な電力供給を抑制し、電力消費を低減する。なお、第２の検出状態では、第２の方向の傾きと、第１の方向の傾きの両方の傾きを検出可能とする他、複数方向の全ての方向の傾きが検出可能とすることができる。
【００１７】
傾斜検出部は、複数の傾き検出センサを備える構成とすることができる。複数の傾き検出センサのうちの第１の方向の傾きを検出する傾き検出センサを電源と常時接続とする。これにより、第１の方向の傾きを常時検出可能な第１の検出状態とする。
【００１８】
この第１の検出状態において、検出方向制御部は、トリガー信号に基づいて第２の方向の傾きを検出する傾き検出センサを電源と接続し、第２の方向の傾きを検出可能な第２の検出状態に切り換える。
【００１９】
トリガー信号として、前記傾斜検出部が検出する傾き検出信号を用いることができる。傾斜検出部が第１の方向の傾きを検出して傾き検出信号を出力すると、検出方向制御部は、この傾き検出信号をトリガー信号として入力して切り換えの制御信号を出力し、傾斜検出部の検出状態を第１の検出状態から第２の検出状態に切り換える。
【００２０】
傾き検出信号をトリガー信号として用いることによって、第１の検出状態において第１の方向の傾きとなったことをトリガとして第２の検出状態に切り換え、第２の検出状態で検出した傾斜方向に基づいて所定の動作を行うことができる。
【００２１】
例えば、傾斜検出装置を電子腕時計に適用した構成において、第１の方向を６時の方向としたとき、６時の方向が下方位置となったことをトリガとして第２の検出状態に切り換え、第２の検出状態で検出した傾斜方向に基づいて、時刻表示や、表示内容の変更等の動作を行う。
【００２２】
また、トリガー信号として、スイッチ部の動作信号を用いることができる。スイッチ部がスイッチ信号を出力すると、検出方向制御部は、このスイッチ部の切り換え信号をトリガー信号として入力し、切り換えの制御信号を出力し、傾斜検出部の検出状態を第１の検出状態から第２の検出状態に切り換える。
【００２３】
スイッチ部の動作信号をトリガー信号として用いることによって、第１の検出状態において、スイッチ部が所定動作となったことをトリガとして第２の検出状態に切り換え、第２の検出状態で検出した傾斜方向に基づいて所定の動作を行うことができる。
【００２４】
例えば、傾斜検出装置を電子腕時計に適用した構成において、電子腕時計に設けたスイッチ部の動作をトリガとして第２の検出状態に切り換え、第２の検出状態で検出した傾斜方向に基づいて、時刻表示やその他の動作を行う。
【００２５】
また、トリガー信号として、通信部の受信状態信号を用いることができる。通信部が外部から受信信号を受けて受信状態信号を出力すると、検出方向制御部は、この受信状態信号をトリガー信号として入力し、切り換えの制御信号を出力し、傾斜検出部の検出状態を第１の検出状態から第２の検出状態に切り換える。
【００２６】
通信部の受信状態信号をトリガー信号として用いることによって、第１の検出状態において、通信部が受信したことをトリガとして第２の検出状態に切り換え、第２の検出状態で検出した傾斜方向に基づいて所定の動作を行うことができる。
【００２７】
例えば、傾斜検出装置を電子腕時計に適用した構成において、電子腕時計に設けた通信部の受信動作をトリガとして第２の検出状態に切り換え、第２の検出状態で検出した傾斜方向に基づいて、受信内容を表示する等の動作を行う。
【００２８】
また、本発明の傾斜検出装置は、第１の方向の傾き検出信号又は第２の方向の傾き検出信号、あるいは両傾き検出信号に基づいて、傾斜検出装置が所定の傾斜状態であるかを判別する傾き判別部を備える。傾き判別部による判別結果に基づいて、表示装置の表示状態を定めることができる。
【００２９】
傾き判別部は、例えば、第１の方向の傾きの継続時間、又は、この第１の方向の傾きの継続時間の後において第２の方向の傾きの有無に基づいて傾斜状態を判別する。この傾斜状態の判別により、この傾斜検出装置を備える機器に設けた表示装置の表示状態を定めることができる。
【００３０】
本発明の傾斜検出装置は電子機器に具備させることができる。この電子機器が備える所定機能を制御する機能制御部とを備える。機能制御部は、傾き判別部による傾斜状態に基づいて所定機能を制御する。また、所定の情報を表示する表示部と、表示部の表示制御を行う表示制御部とを備える構成とし、表示制御部は、傾き判別部による所定の傾斜状態の判別結果に基づいて、所定の傾斜状態であるとき表示部を所定時間表示し、所定の傾斜状態でないとき表示部を消灯表示する。
【００３１】
また、表示制御部は、傾き判別部による所定の傾斜状態の判別結果に基づいて、所定の傾斜状態であるとき表示部に表示する情報の切り換えを行う。
【００３２】
本発明の傾斜検出装置は電子腕時計に具備させることができる。この電子腕時計において、傾斜検出装置は、前記第１の方向として所定の複数の時刻方向のうちの少なくとも一つの時刻方向を検出し、前記第２の方向として少なくとも前記時刻方向以外の時刻方向を検出する。傾き判別部は、検出状態に基づいて電子腕時計の傾斜状態を判別する。
【００３３】
電子腕時計が備える表示制御部は、傾き判別部による所定の傾斜状態の判別結果に基づいて、所定の傾斜状態であるときは表示部に所定時間表示し、所定の傾斜状態でないとき表示部を消灯表示する。また、表示制御部は、傾き判別部による所定の傾斜状態の判別結果に基づいて、所定の傾斜状態であるとき表示部に表示する情報を切り換える。例えば、表示画面を切り換えたり、表示画面のスクロール表示を行う。また、表示部は、傾き判別部による所定の傾斜状態の判別結果に基づいて、所定情報として時刻情報を表示する。
【００３４】
ここで、電子腕時計において、第１の方向は６時方向を垂下方向とする方向であり、第２の方向が６時方向以外の方向を垂下方向とする方向とすることができる。なお、この６時方向は一例であって、別の時刻方向としてもよい。ここで、６時方向を垂下方向とする方向は、利用者が腕時計を腕に取り付けた状態で文字盤を見る際に、水平方向に対して腕時計がとる一姿勢である。したがって、第１の方向はこの６時方向を垂下方向とする方向に限らず、使用形態に応じて任意に定めることができる。
【００３５】
また、電子腕時計は、外部から少なくとも受信信号を受信する通信部を備える構成とすることができる。この通信部は、傾き判別部による所定の傾斜状態の判別結果に基づいて、所定情報として通信情報を表示部に表示させる。例えば、電子腕時計を腕に取り付けた状態において、つり革につかまっている状態の傾き方向では通信状態を表示せず、例えば、前記した６時方向に傾いたときに通信状態を表示させることで、利用者以外の第三者が通信状態を見る状態を防ぐことができる。
【００３６】
また、検出方向制御部は、第２の状態に切り換わってから所定時間が経過すると、第１の状態に復帰するように定めることができる。
【００３７】
本発明の傾斜検出装置は携帯通信機器に具備させることができる。携帯通信機器は、外部から少なくとも受信信号を受信する通信部を備え、通信部は、傾き判別部による所定の傾斜状態の判別結果に基づいて、所定情報として通信情報を表示部に表示させる。
【発明の効果】
【００３８】
発明の傾斜検出装置によれば、複数の傾斜センサのうちで、常に電源供給しておく傾斜センサを制限することができるため、使用目的に応じて必要とする傾斜センサのみに電力を供給することによって電力消費を低減することができる。
【００３９】
また、傾斜検出装置において、動作トリガのために特定方向のみの傾斜を検出する場合には、その特定方向の傾斜センサにのみに電力を供給し、いずれの方向に傾いているかを検出する場合には、特定方向以外の傾斜センサに電力を供給することによって電力消費を低減することができる。
【発明を実施するための最良の形態】
【００４０】
以下、本発明の傾斜検出装置について図を用いて詳細に説明する。
【００４１】
図１は本発明の傾斜検出装置の概略構成を説明するための図である。図１は本発明の傾斜検出装置１を電子機器に提供した場合について示している。
【００４２】
傾斜検出装置１は、所定の複数方向の傾きを検出可能とする傾斜検出部２と、トリガー信号に基づいて、傾斜検出部２において複数の傾きの少なくとも一部の所定方向の傾きを検出可能な状態に切り換える検出方向制御部４と、傾斜検出部２が検出した傾き検出信号に基づいて、傾斜検出装置が所定の傾斜状態であるかを判別する傾き判別部５を備える。
【００４３】
傾斜検出部２は、それぞれ異なる方向の傾きを検出する複数の傾き検出センサ２ａ〜２ｄを備える。これらの傾き検出センサ２ａ〜２ｄは、センサの駆動状態の違いによって２つのグループに分けて電源供給を行う。第１のグループは、電源供給を常時行って、常に所定の方向の傾き検出を行う傾き検出センサである。ここでは、この所定方向を第１の方向とし、この第１の方向の傾きを傾き検出センサ２ａで検出するものとする。傾き検出センサ２ａは、例えば、第１の電源３ａによって常時接続されることで、常に電源の供給を受ける。この第１のグループの傾き検出センサ２ａは、常に第１の方向の傾きの有無を検出する。
【００４４】
これによって、所定の複数方向の傾きのうちの第１の方向の傾きのみを常時検出可能とする第１の検出状態が形成される。
【００４５】
また、第２のグループは、常時は電源の供給を受けず、所定のトリガが入力されたときに電源供給が開始され、前記した傾き検出センサ２ａが検出する所定の方向以外の方向の傾き検出を行う。ここでは、この第２のグループの傾き検出センサが検出する方向を第２の方向とし、この第２の方向の傾きを傾き検出センサ２ｂ〜２ｄで検出するものとする。なお、第２の方向は、全方向のうちから第１の方向を除いた全ての方向とする他、全方向のうちから第１の方向を除いた全ての方向の中から選択した方向とすることもできる。
【００４６】
この第２のグループの傾き検出センサ２ｂ〜２ｄは、トリガによって電源供給が行われるまでは非駆動状態にあって検出動作を行わず、トリガに基づいて例えば第２の電源３ｂに接続することによって選択的に電源の供給を受け、この電源供給を受けてはじめて傾き検出を行う。
【００４７】
これによって、所定の複数方向の傾きのうちの第２の方向の傾きを検出可能とする第２の検出状態が形成される。なお、この第２の検出状態では、第１の方向についても引き続き検出状態にあるため、第１の方向と第２の方向を検出可能な状態となる。
【００４８】
第１の検出状態から第２の検出状態への移行は、検出方向制御部４によって行われる。第１の検出状態において、傾き検出センサ２ａによって第１の方向の傾きが検出されると、検出方向制御部４はこの第１の方向の傾き検出をトリガとして、第２の方向の傾きを検出する傾き検出センサ２ｂ〜２ｄへの電源供給を行う。これにより、第１の方向の傾きのみを常時検出可能とする第１の検出状態から、所定の複数方向の傾きのうちの第２の方向の傾きを検出可能とする第２の検出状態への移行が行われる。
【００４９】
第１の検出状態から第２の検出状態への移行において、第１の電源３ａおよび第２の電源３ｂの切り換えは、切換部２ｅによって行うことができる。切換部２ｅは、例えば第１の電源３ａを第１の方向を検出する傾き検出センサ２ａに常時接続し、検出方向制御部４からの切換制御信号に基づいて、例えば第２の電源３ｂを第２の方向を検出する傾き検出センサ２ｂ〜２ｄに接続する。なお、切換部２ｅは、所定条件に基づいて第２の電源３ｂと傾き検出センサ２ｂ〜２ｄとの接続を切り離す。この所定条件としては、例えば、第２の電源３ｂを傾き検出センサ２ｂ〜２ｄに接続してから所定時間経過後や、所定動作が終了してから所定時間経過後とすることができる。
【００５０】
なお、図１の構成例では、傾き検出センサとして２ａ〜２ｄを示し、また、第１の傾き検出センサを２ａとし、第２の傾き検出センサを２ｂ〜２ｄとしているが、傾き検出センサの個数や第１、第２の傾き検出センサの設定はこれに限られるものではない。
【００５１】
検出方向制御部４は、入力されるトリガー信号に基づいて、切換制御信号を切換部２ｅに送り、傾斜検出部２の検出状態を第１の検出状態から第２の検出状態へ切り換える。このトリガー信号は種々設定することができる。
【００５２】
図１では、トリガー信号として、前記した常時駆動の傾き検出センサ２ａからの検出信号の他に、電子機器１０が備えるスイッチ部１１や通信部１２からの信号を用いることができる。スイッチ部１１は、電子機器１０において所定動作を実行させるための入力手段であり、検出方向制御部４はこのスイッチ部１１のオン動作あるいはオフ動作をトリガー信号として入力して切換制御信号を切換部２ｅに出力する。
【００５３】
また、通信部１２は、電子機器１０が備える送信機能、受信機能、あるいは送受信機能を備える手段であり、検出方向制御部４はこの通信部１１の送信動作あるいは受信動作をトリガー信号として入力して切換制御信号を切換部２ｅに出力する。
【００５４】
傾き判別部５は、第１の傾き検出信号又は第２の方向の傾き検出信号、あるいは両傾き検出信号に基づいて、傾斜検出装置が所定の傾斜状態であるかを判別する。
【００５５】
例えば、傾き判別部５は、第１の方向の傾きが所定時間の間で継続するときには、傾斜検出装置がその第１の方向に傾いていると判別する。また、第１の方向の傾きが所定時間の間継続した後、第２の方向に傾いているか否かによって傾斜状態を判別する。例えば、傾きの方向が、第２の方向の中の何れの方向であるかを判別する。
【００５６】
ここで、傾き方向と電子機器が備える機能とを予め定めておく。これにより、傾き判別部５の判別結果に基づいて、その傾き方向に対応する機能を実行あるいは停止させることができる。
【００５７】
図１では、電子機器１０が備える機能部１３の機能を、傾き判別部５の判別結果に基づいて表示制御１４を制御して、表示部１５に表示させる例を示しているが、傾き判別部５の判別結果は表示制御に限らず他の制御に適用しても良い。
【００５８】
図２は、傾斜検出装置１の動作例を説明するためのフローチャートである。なお、以下のフローチャートでは、図１の構成例に基づいて説明する。
【００５９】
傾斜検出装置１は、第１の電源３ａをオン状態として、第１の方向の傾き検出センサ２ａを常時駆動状態としておく（Ｓ１）。この第１の方向の傾きを検出する第１の検出状態において、傾き検出センサ２ａが傾きを検出すると（Ｓ２）、検出方向制御部４は、この傾き検出センサ２ａの検出信号をトリガー信号として入力し、切換制御信号を切換部２ｅに出力する。切換部２ｅは、この切換制御信号を受けて、第２の方向の傾き検出センサ２ｂ〜２ｄに第２の電源３ｂを接続し、傾き検出センサ２ｂ〜２ｄを駆動状態とする。これによって、第１の方向の傾き検出センサ２ａおよび第２の方向の傾き検出センサ２ｂ〜２ｄは全て駆動状態となり、全方向の傾きを検出可能な第２の検出状態となる。
【００６０】
また、傾斜検出装置１の傾き判別部５等の各種機能を実行するＣＰＵについても、この段階でスリープ状態から稼働状態に切り換えることによって、ＣＰＵによる消費電力を低減させることができる。
【００６１】
なお、ここでは、第２の方向の傾き検出センサ２ｂ〜２ｄの全てについて第２の電源３ｂと接続する態様を示したが、第２の方向の傾き検出センサ２ｂ〜２ｄから選択した傾き検出センサのみに電源を接続する態様としてもよい（Ｓ４）。
【００６２】
なお、Ｓ２の工程の後、Ｓ３の工程において、傾き検出センサ２ａの検出出力が所定時間以上継続するか否かを判定し、この検出出力が所定時間（例えば、０．５秒）以上継続した場合にＳ４の工程に進むようにすることで、傾斜検出装置１の振動等による、傾き検出センサ２ａの出力のチャタリングによる誤作動を抑制することができる。
【００６３】
Ｓ４の工程において、第１の傾き検出センサ２ａおよび第２の傾き検出センサ２ｂ〜２ｄによって、全方向についていずれの方向に傾いているか検出する（Ｓ５）。
【００６４】
Ｓ５の工程で検出した傾きの方向に基づいて、傾き方向と対応づけて予め設定された動作モードを選択し、その選択した動作モードを実行する（Ｓ６）。
【００６５】
第２の電源３ｂをオン状態としてからの経過時間を計時しておき、この経過時間が所定時間を超えた場合には（Ｓ７）、実行中の動作が完了しているか、動作を継続するか、あるいは新たな動作を開始するかを判定し（Ｓ８）、動作を継続あるいは新たな動作を開始する場合には、Ｓ４の第２の検出状態を続行する。
【００６６】
また、動作を継続しない場合には、第２の電源の接続を停止する。これによって、傾斜検出装置１は第１の検出状態に戻る（Ｓ９）。
【００６７】
次に、図３〜図６を用いて、本発明の傾斜検出装置１を電子腕時計に適用した場合について説明する。
【００６８】
図３は、本発明の傾斜検出装置１を電子腕時計に提供した場合の構成例であり、前記した図１の電子機器の構成とほぼ同様である。
【００６９】
図３において、電子腕時計２０は、スイッチ部２１，通信部２２，計時部２３，表示制御部２４，表示部２５の電子腕時計が備える構成に加えて、傾斜検出装置１を備える。
【００７０】
この傾斜検出装置１は、電子腕時計２０の所定位置に固定されることによって、電子腕時計２０の傾き状態を検出する。この傾斜検出装置１が検出する電子腕時計２０の傾き状態は、水平線方向あるいは垂線方向を基準とし、これに対して傾斜検出装置１あるいは傾斜検出装置１が取り付けられた電子腕時計２０が何れの方向に傾いているかを表すものである。
【００７１】
傾斜検出装置１において、図３では、第１の方向をアナログ時計の文字盤の６時の方向とし、第２の方向をアナログ時計の文字盤の３時、９時、１２時の方向とする例を示している。したがって、第１の傾き検出センサ２ａは、傾斜検出装置１あるいは電子腕時計２０が６時の方向を垂下方向として傾いた状態を検出し、第２の傾き検出センサ２ｂは、傾斜検出装置１あるいは電子腕時計２０が９時の方向を垂下方向として傾いた状態を検出し、第２の傾き検出センサ２ｃは、傾斜検出装置１あるいは電子腕時計２０が１２時の方向を垂下方向として傾いた状態を検出し、第２の傾き検出センサ２ｄは、傾斜検出装置１あるいは電子腕時計２０が３時の方向を垂下方向として傾いた状態を検出する。以下では、傾斜検出装置１あるいは電子腕時計２０が各時刻の方向を垂下方向として傾く場合、その時刻の方向によって傾きの方向を表すものとして記載する。また、傾斜検出部２のその他の構成は、前記図１と同様であるため、ここでの説明を省略する。
【００７２】
また、電子腕時計２０は、図１で示して電子機器と同様に、スイッチ部２１，通信部２２，表示制御部２４，表示部２５を備え、機能部１３に対応する部分として、例えば計時部２３を備える。計時部２３は、電子腕時計２０が備える計時機能を発揮する部分であり、電源を常時接続することによって時刻を計時する他、必要に応じて電源を接続して、外部から時刻情報を取得し、表示制御部２４を通して表示部２５に表示する。
【００７３】
また、スイッチ部２１は、電子腕時計２０が備える機能を選択したり、機能の始動や停止を指示する入力手段であり、通信部２２は、例えば、外部から受信信号を受信する受信手段、又は外部の送信信号を送信する送信手段、あるいは送信および受信を行う送受信手段であり、例えば、通信部２２で受信した受信信号は、表示制御部２４を通して表示部２５に表示される。
【００７４】
表示制御部２４は、例えば、第１の検出状態において、第１の傾き検出センサ２ａが第１の方向（例えば、６時の方向）を検出したときに、計時部２３の計時に基づいて表示部２５に時刻表示を行う。
【００７５】
また、第２の検出状態において、第１の傾き検出センサ２ａが第１の方向（例えば、６時の方向）を検出したときに、通信部２２が受信した受信内容を計時部２３の計時に基づいて表示部２５に表示し、第２の傾き検出センサ２ａが第２の方向（例えば、１２時の方向）を検出したときに、表示内容をスクロールさせて表示手段２５に表示する。
【００７６】
なお、どの方向の傾きを検出したかに対して如何なる動作を対応させるかは、必要に応じて定めることができる。また、第１の検出状態と第２の検出状態をどの傾き検出センサに対応させるかも必要に応じて定めることができる。
【００７７】
次に、本発明の傾斜検出装置１を電子腕時計に適用した場合の動作例について、図４のフローチャートを用いて説明する。
【００７８】
図４は、傾斜検出装置１を電子腕時計に適用した場合の動作例を説明するためのフローチャートである。なお、以下のフローチャートでは、図３の構成例に基づいて説明する。
【００７９】
傾斜検出装置１は、第１の電源３ａをオン状態として、第１の方向の傾き検出センサ２ａを常時駆動状態としておく（Ｓ１１）。この第１の方向の傾きを検出する第１の検出状態において、傾き検出センサ２ａ（６時の方向の傾き検出センサ）が傾きを検出すると（Ｓ１２）、検出方向制御部４は、この傾き検出センサ２ａ（６時の方向の傾き検出センサ）の検出信号をトリガー信号として入力し、切換制御信号を切換部２ｅに出力する。なお、トリガー信号は、ここでは傾き検出センサ２ａ（６時の方向の傾き検出センサ）の検出信号を用いているが、前記したように、スイッチ部２１の信号、通信部２２による受信状態信号、送信状態信号等を用いてもよい。
【００８０】
切換部２ｅは、この切換制御信号を受けて、第２の方向の傾き検出センサ２ｂ〜２ｄ（９時，１２時，３時の方向の傾き検出センサ）に第２の電源３ｂを接続し、傾き検出センサ２ｂ〜２ｄ（９時，１２時，３時の方向の傾き検出センサ）を駆動状態とする。これによって、第１の方向の傾き検出センサ２ａ（６時の方向の傾き検出センサ）および第２の方向の傾き検出センサ２ｂ〜２ｄ（９時，１２時，３時の方向の傾き検出センサ）は全て駆動状態となり、全方向（３時，６時，９時，１２時の方向の傾き検出センサ）の傾きを検出可能な第２の検出状態となる。
【００８１】
また、傾斜検出装置１の傾き判別部５等の各種機能を実行するＣＰＵについても、この段階でスリープ状態から稼働状態に切り換えることによって、ＣＰＵによる消費電力を低減させることができる。
【００８２】
なお、ここでは、第２の方向の傾き検出センサ２ｂ〜２ｄ（９時，１２時，３時の方向の傾き検出センサ）の全てについて第２の電源３ｂと接続する態様を示したが、第２の方向の傾き検出センサ２ｂ〜２ｄ（９時，１２時，３時の方向の傾き検出センサ）から選択した傾き検出センサのみに電源を接続する態様としてもよい（Ｓ１４）。
【００８３】
なお、Ｓ１２の工程の後、Ｓ１３の工程において、傾き検出センサ２ａ（６時の方向の傾き検出センサ）の検出出力が所定時間（例えば、０．５秒）以上継続するか否かを判定し、この検出出力が所定時間（例えば、０．５秒）以上継続した場合にＳ１４の工程に進むようにすることで、電子腕時計２０の腕振り等による振動で、傾き検出センサ２ａ（６時の方向の傾き検出センサ）の出力がチャタリングして誤作動することを抑制することができる。
【００８４】
Ｓ１４の工程において、第１の傾き検出センサ２ａ（６時の方向の傾き検出センサ）および第２の傾き検出センサ２ｂ〜２ｄ（９時，１２時，３時の方向の傾き検出センサ）によって、全方向についていずれの方向に傾いているか検出する（Ｓ１５）。
【００８５】
Ｓ１５の工程で検出した傾きの方向に基づいて、傾き方向と対応づけて予め設定された動作モードを選択し、その選択した動作モードを実行する（Ｓ１６）。
【００８６】
傾き判別部５は、傾きの方向が６時の方向であって、その状態が所定時間（例えば、０５．秒〜１秒）以上継続し、かつ、第２の傾き検出センサ２ｂ〜２ｄ（９時，１２時，３時の方向の傾き検出センサ）が６時の方向以外の方向を検出しない場合、傾斜検出装置１および電子腕時計２０は６時の方向を垂下方向として傾いた所定の傾斜状態であると判別する。表示制御部２４は、この判別結果に基づいて、計時部２３から時刻情報を取得して、表示部２５に時刻を表示する（Ｓ１７）。
【００８７】
腕を振るなどの時刻視認以外の動作でも、電子腕時計２０が６時方向に傾斜することがあるため、単純に６時方向の傾斜を検出しただけで時刻を表示すると、腕を振っただけで頻繁に時刻が表示されることになり、節電の効果を期待できない。そこで、上記のように、６時方向の傾きを検出したときに、全方向の傾きを検出可能な状態とすることによって、傾斜センサの電力消費を低減することができる。また、その後、６時方向以外に傾いていないことを検出してから時刻を表示することによって、無駄な時刻表示を減らして、時刻表示の電力消費を低減も低減することができる。
【００８８】
この時刻表示は、予め定めておいた所定時間だけ行い、所定時間を経過した後（Ｓ１８）は、第２の電源をオフとして第１の検出状態に戻し、前記Ｓ１２に戻る（Ｓ１９）。
【００８９】
また、傾き判別部５は、第２の傾き検出センサ２ｂ〜２ｄ（９時，１２時，３時の方向の傾き検出センサ）によって傾きが検出された場合には、その傾斜方向に対して定められた動作モードを選択し（Ｓ２０）、選択した動作モードを実行する。動作モードとしては、例えば、受信した内容の表示動作、表示内容のスクロール動作等がある。
【００９０】
なお、この動作例は一例であって、その他の動作としてもよい（Ｓ２１）。
【００９１】
動作モードの実行中において、第２の電源３ｂをオン状態としてからの経過時間を計時しておき、この経過時間が所定時間を超えた場合には（Ｓ２２）、予め設定されている動作時間（前記Ｓ２２の所定時間）を延長する（Ｓ２３）。
【００９２】
実行の動作を終了する場合には（Ｓ２４）、その他の動作モードを再選択するかを判定し（Ｓ２５）、他の動作モードを再選択した場合には、前記Ｓ２１に戻って再選択した動作モードを実行し、他の動作モードを再選択しない場合には、所定時間の経過を待って（Ｓ２６）、実行中の動作が完了しているか、動作を継続するか、あるいは新たな動作を開始するかを判定し（Ｓ２７）、動作を継続あるいは新たな動作を開始する場合には、Ｓ１４の第２の検出状態を続行する。また、動作を継続しない場合には、第２の電源の接続を停止する。これによって、傾斜検出装置１は第１の検出状態に戻る（Ｓ２８）。
【００９３】
図５および図６は、傾斜検出装置１を取り付けた電子腕時計の傾き状態と、第１の傾き検出センサ２ａ（６時の方向の傾き検出センサ）および第２の傾き検出センサ２ｂ〜２ｄ（９時，１２時，３時の方向の傾き検出センサ）の傾き状態を説明するための図である。なお、図５では、傾斜検出装置１を取り付けた電子腕時計２０を利用者が腕に着けた状態を示している。
【００９４】
図５（ａ）は、利用者が表示部の表示される時刻等の表示内容を視認する状態を示している。この状態では、電子腕時計２０のアナログの文字盤の６時の方向が下方に傾き、文字盤の１２時の方向が上方に傾く。図６（ａ）はこの時の電子腕時計２０の文字盤の傾き状態を示している。
【００９５】
なお、図６に示すアナログの文字盤は、電子腕時計２０の傾き状態を説明するための示すものであり、電子腕時計２０の表示装置２５が表示する時刻表示を表すものではない。表示装置２５上の時刻表示は、例えば、文字盤上で時針を駆動して行うアナログ表示、液晶表示装置上において、時針を模して行うアナログ表示や、数字を表示するデジタル表示など、種々の表示の態様を用いることができる。
【００９６】
また、第１の検出状態においてトリガの発生を検出し、このトリガを契機として第２の検出状態に切り換える構成を電子腕時計に適応させることによって、例えば、単に腕時計の方向を換えることで、時刻表示を開始させたり、表示部に表示内容をスクロールさせて等の種々の動作を腕時計のスイッチを操作することなく行うことができる。また、つり革等につかまった状態（例えば、９時の方向）で通信部が受信したとき、その状態のままで腕時計の表示部に受信内容を表示すると表示内容が第３者に見られるおそれがあるが、第１の状態（例えば、６時の方向）を検出した後に表示させることで、表示内容の漏れを防ぐことができる。
【００９７】
本発明の傾斜検出装置の第１の傾き検出センサ２ａ（６時の方向の傾き検出センサ）は、この６時の方向の傾きを検出し、この傾き検出に基づいて例えば時刻表示を行う。
【００９８】
図５（ｂ）は、利用者が図５（ａ）の状態から、前腕を回して電子腕時計２０を利用者から離れる方向に動かす動作状態を示している。この動作状態では、電子腕時計２０のアナログの文字盤の１２時の方向が下方に傾き、文字盤の６時の方向が上方に傾く。図６（ｂ）はこの時の電子腕時計２０の文字盤の傾き状態を示している。本発明の傾斜検出装置の第１の傾き検出センサ２ｃ（１２時の方向の傾き検出センサ）は、この１２時の方向の傾きを検出する。
【００９９】
次に、図５（ｃ）は、利用者が腕を上方に挙げた動作状態を示している。この動作状態では、電子腕時計２０のアナログの文字盤の９時の方向が下方に傾き、文字盤の３時の方向が上方に傾く。図６（ｃ）はこの時の電子腕時計２０の文字盤の傾き状態を示している。本発明の傾斜検出装置の第１の傾き検出センサ２ｂ（９時の方向の傾き検出センサ）は、この９時の方向の傾きを検出する。
【０１００】
次に、図５（ｄ）は、利用者が腕を下方に下げた動作状態を示している。この動作状態では、電子腕時計２０のアナログの文字盤の３時の方向が下方に傾き、文字盤の９時の方向が上方に傾く。図６（ｄ）はこの時の電子腕時計２０の文字盤の傾き状態を示している。本発明の傾斜検出装置の第１の傾き検出センサ２ｄ（３時の方向の傾き検出センサ）は、この３時の方向の傾きを検出する。
【０１０１】
図７は、傾斜検出部２の傾き検出センサの一構成例を説明するための図である。ここでは、傾き検出センサ２ａ〜２ｄに対応する構成として、中央に配置した金属部材２Ａ、およびこの金属部材２Ａの周囲に所定距離を開けて設けた４つの電極２Ｂ〜２Ｅを備える検出部分と、この検出部分で得られた信号を信号処理する回路とにより構成される。
【０１０２】
検出部分において、４つの電極２Ｂ〜２Ｅは、電源電圧Ｖccを印加する電極Ｖ（２Ｂ）と、接地電極Ｇ（２Ｃ）と、２つの検出電極２Ｄ，２Ｅを含み、それぞれ９０度間隔で同一の円周上に配置される。この電極２Ｂ〜２Ｅが固定設置される円周の径は、中央に移動自在に配置される中央電極２Ａの径よりも大とし、また、隣接する電極間の幅は中央電極２Ａの径よりも大とする。これによって、中央電極２Ａは、４つの電極２Ｂ〜２Ｅで囲まれる内側において外部に出ることなく自由に移動する。また、中央電極２Ａは４つの電極２Ｂ〜２Ｅに対して、同時に最大で２つの電極と接触し、３つの電極と接触することはない構成としている。
【０１０３】
中央電極２Ａは、この傾斜検出装置１が設置の傾き状態に応じて図中のａ〜ｄで示す方向を検出する。なお、図７において、方向ａは中央電極２Ａが接地電極Ｇ（２Ｃ）と検出電極２Ｄとの両方の電極に接触する方向であり、方向ｂは中央電極２Ａが検出電極２Ｄと電源電極Ｖ（２Ｂ）との両方の電極に接触する方向であり、方向ｃは中央電極２Ａが電源電極Ｖ（２Ｂ）と検出電極２Ｅとの両方の電極に接触する方向であり、方向ｄは中央電極２Ａが検出電極２Ｅと接地電極Ｇ（２Ｃ）との両方の電極に接触する方向である。
【０１０４】
検出部分で得られた信号を信号処理する回路は、電源制御端子３１、電源制御端子３２、電源制御回路３３、電源制御回路３４、電源制御トランジスタ３５、電源制御トランジスタ３６、検出回路３７、検出回路３８を有する。
【０１０５】
電源制御端子３１は、検出回路３７の一部の電源供給を制御する回路であり、電源制御端子３１にＧＮＤレベル（Ｌレベル）の制御信号が印加されると出力電圧が電源電圧Ｖｃｃレベルとなり（第１の電源がオン状態）、Ｖｃｃレベル（Ｈレベル）の制御信号を印加すると出力電圧がＧＮＤレベルとなる（第１の電源がオフ状態）。
【０１０６】
同様に、電源制御端子３２は、検出回路３８と検出回路３７の一部への電源供給を制御する回路であり、電源制御端子３２にＧＮＤレベル（Ｌレベル）の制御信号が印加されると、電源制御回路３４は出力電圧が電源電圧Ｖｃｃレベルとなり（第２の電源オン状態）、電源制御端子３２にＶｃｃレベル（Ｈレベル）の制御信号が印加されると、電源制御回路３４は出力電圧がＧＮＤレベルとなる（第２の電源がオフ状態）。
【０１０７】
検出回路３７は、検出電極１（２Ｄ）に接続されており、ａ方向及びｂ方向の傾きを検出する回路であり、bit０及びbit１の２つの出力端子と、ＮＰＮ及びＰＮＰ型バイポーラトランジスタからなるＴｒ０及びＴｒ１と、Ｎ型ＭＯＳトランジスタからなる電源制御トランジスタ３５とを有する。
【０１０８】
検出回路３７は、電源制御回路３３の出力電圧が電源電圧Ｖｃｃレベルで、電源制御回路３４の出力電圧がＧＮＤレベルの状態（傾斜トリガーモード）では、Ｔｒ１のオンオフに基づいて、出力端子bit１によるａ方向の傾斜検出が可能である。また、この傾斜トリガーモードでは、電源制御回路３４の出力電圧がＧＮＤレベルであるため、電源制御トランジスタ３５がオフとなって出力端子bit０への電源が印加されない状態となる。すなわち、Ｔｒ０のオンオフにかかわらず。bit０は電源制御回路３３の出力電圧であるＶｃｃレベル（Ｈレベル）の信号が出力される。また、検出回路３７は、電源制御回路３３及び電源制御回路３４の出力電圧が電源電圧Ｖｃｃレベルの状態（傾斜検出モード）では、電源制御トランジスタ３５がオン状態となり、bit０による検出回路に電源が供給された状態となる。この状態ではbit０はａ方向の傾きを検出する。また、この傾斜検出モードでは、bit１は、ｂ方向の傾斜を検出する。
【０１０９】
検出回路３８は、検出電極２（２Ｅ）に接続され、ｃ方向及びｄ方向の傾きを検出する回路であり、bit２及びbit３の２つの出力端子と、ＮＰＮ及びＰＮＰ型バイポーラトランジスタからなるＴｒ２及びＴｒ３とを有する。検出回路３８は、電源制御回路３３の出力電圧が電源電圧Ｖｃｃレベルで、電源制御回路３４の出力電圧がＧＮＤレベルの状態（傾斜トリガーモード）では、電源が供給されない状態になるため、bit２及びbit３からはｃ方向及びｄ方向の検出信号は出力されない。また、電源制御回路３３及び電源制御回路３４の出力電圧が電源電圧Ｖｃｃレベルの状態（傾斜検出モード）では、bit２がｃ方向の傾きを検出し、bit３がｄ方向の傾きを検出する。
【０１１０】
以下、表１を参考にして、傾斜トリガモードと傾斜方向検出モードの二つのモードにおける動作について説明する。なお、傾斜トリガモードは前記した第１の検出状態に対応するものであり、第１の方向の傾きを検出したことをトリガとして、第２の検出状態に移行する。また、傾斜方向検出モードは、前記した第２の検出状態に対応するものであり、何れの方向に傾いているかを検出する。
【０１１１】
【表１】
2007271464.tif 000003
【０１１２】
はじめに、傾斜トリガモードについて説明する。傾斜トリガモードでは、第１の電源（電源１）をオン状態とし、第２の電源（電源２）をオフ状態として行う。
【０１１３】
この電源状態においては、どの傾斜方向にあっても、電源制御回路３４の出力電圧がＧＮＤレベルであり、電源制御トランジスタ３６がＯＦＦであるために、検出回路３８にはＧＮＤ電位しか供給されず、Ｔｒ２とＴｒ３は常時ＯＦＦ状態であり、bit２及びbit３からＧＮＤレベル（Ｌレベル）の検出信号が出力される。また、電源制御トランジスタ３５もＯＦＦ状態で、Ｔｒ０も常時ＯＦＦ状態であるために、bit０からは常時Ｖｃｃレベル（Ｈレベル）の検出信号が出力される。
【０１１４】
傾斜が方向ａの場合には、中央電極２Ａは接地電極Ｇ（２Ｃ）と検出電極２Ｄに接触する。この接触により、検出電極２Ｄは接地電圧（ＧＮＤ）となる。それにより、Ｔｒ１はオンし、bit１にはＶｃｃレベルの検出信号（Ｈレベル）が出力される。すなわち、bit１の検出信号がＨレベルになることによって、ａ方向に傾斜したことが検出される。
【０１１５】
傾斜が方向ｂの場合には、中央電極２Ａは検出電極２Ｄと電源電極Ｖ（２Ｂ）とに接触する。トリガーモードでは、電源制御トランジスタ３６がオフ状態であるため、電源電極Ｖ（２Ｂ）はＯＰＥＮ状態で、この接触により、検出電極２Ｄは影響を受けずにＯＰＥＮ状態のままである。それによりＴｒ１はオフし、bit１にはＧＮＤレベルの検出信号（Ｌレベル）が出力される。
【０１１６】
傾斜が方向ｃの場合には、中央電極２Ａは電源電極Ｖ（２Ｂ）と検出電極２Ｅとに接触する。この状態では検出電極２ＤはＯＰＥＮ状態なので、それによりＴｒ１はオフし、bit１にはＧＮＤレベルの検出信号（Ｌレベル）が出力される。bit0、bit2、bit3についてはトリガーモードでは、先述のようにそれぞれ“Ｈ”、“Ｌ”、“Ｌ”に固定である。
【０１１７】
傾斜が方向ｄの場合には、中央電極２Ａは検出電極２Ｅと接地電極Ｇ（２Ｃ）とに接触する。この状態では検出電極２ＤはＯＰＥＮ状態なので、それによりＴｒ１はオフし、bit１にはＧＮＤレベルの検出信号（Ｌレベル）が出力される。bit0、bit2、bit3についてはトリガーモードでは、先述のようにそれぞれ“Ｈ”、“Ｌ”、“Ｌ”に固定である。
【０１１８】
また、ニュートラル状態の場合には、中央電極２Ａはいずれの電極とも接触していないため、検出電極２Ｄ，２Ｅは共にＯＰＥＮ状態で、検出電極２ＤのＯＰＥＮ状態によりＴｒ１はオフし、bit１にはＧＮＤレベルの検出信号（Ｌレベル）が出力される。bit0、bit2、bit3についてはトリガーモードでは、先述のようにそれぞれ“Ｈ”、“Ｌ”、“Ｌ”に固定である。
【０１１９】
これにより、傾斜トリガモードでは、bit１の出力が“Ｈ”となることを検出することで方向ａの傾きを検出することができる。
【０１２０】
次に、傾斜方向検出モードについて説明する。傾斜方向検出モードでは、第１の電源（電源１）をオン状態とし、第２の電源（電源２）をオン状態として行う。
【０１２１】
まず検出回路３７について説明する。この電源状態において電源制御回路３３の出力はＶｃｃで、電源制御トランジスタ３５はオン状態であり、Ｔｒ１のエミッタはＶｃｃレベル、Ｔｒ０のエミッタはＧＮＤレベルである。検出電極２ＤがＯＰＥＮである場合、検出回路３７における電流の流れは、Ｔｒ１エミッタ（Ｖｃｃ）→Ｔｒ１ベース→抵抗Ｒ１→抵抗Ｒ０→Ｔｒ０ベース→Ｔｒ０エミッタ（ＧＮＤ）となる。このような経路でＴｒ０、Ｔｒ１双方にベース電流が流れるため双方のトランジスタはオンしている状態であり、bit０＝“Ｌ”、bit１＝“Ｈ”となる。一方検出回路２についても同様の現象によって、検出電極２ＥがＯＰＥＮ状態の時には、bit２＝”Ｈ“、bit３＝“Ｌ”となる。
【０１２２】
したがって中央電極２Ａが検出電極の全てに接触していないニュートラル状態の時にはbit０＝“Ｌ”、bit１＝“Ｈ”、bit２＝”Ｈ“、bit３＝“Ｌ”となる。
【０１２３】
この電源状態において、傾斜が方向ａの場合には、中央電極２Ａは接地電極Ｇ（２Ｃ）と検出電極２Ｄに接触する。この接触により、検出電極２Ｄは接地電圧（ＧＮＤ）となる。これによりＴｒ０がオフ状態になって、bit０＝“Ｈ”となる。Ｔｒ１についてはベース電流が増加するがオン状態にあることは変わらず、bit１＝“Ｈ”になる。一方、検出電極２Ｅは、中央電極２Ａと接触せずにＯＰＥＮ状態のままであるため、bit２、bit３についてはニュートラル状態と同様にbit２＝”Ｈ“、bit３＝“Ｌ”となる。
【０１２４】
傾斜が方向ｂの場合には、中央電極２Ａは検出電極２Ｄと電源電極Ｖ（２Ｂ）とに接触する。傾斜方向検出モードでは、電源制御トランジスタ３６がオン状態となっているため、この接触により、検出電極２Ｄは電源電圧Ｖccとなる。これによりＴｒ１がオフ状態になって、bit１＝“Ｌ”となる。Ｔｒ０についてはベース電流が増加するがオン状態にあることは変わらず、bit０＝“Ｌ”になる。一方、検出電極２Ｅについても、中央電極２Ａと接触せずにＯＰＥＮ状態のままであるため、bit２、bit３についてはニュートラル状態と同様にbit２＝”Ｈ“、bit３＝“Ｌ”となる。
【０１２５】
傾斜が方向ｃの場合には、中央電極２Ａは電源電極Ｖ（２Ｂ）と検出電極２Ｅとに接触する。この接触により、検出電極２Ｅは電源電圧Ｖccとなる。これによりＴｒ２がオフ状態になって、bit２＝“Ｌ”となる。Ｔｒ３についてはベース電流が増加するがオン状態にあることは変わらず、bit３＝“Ｌ”になる。一方、検出電極２Ｄについても、中央電極２Ａと接触せずにＯＰＥＮ状態のままであるため、bit０、bit１についてはニュートラル状態と同様にbit０＝”Ｌ“、bit１＝“Ｈ”となる。
【０１２６】
傾斜が方向ｄの場合には、中央電極２Ａは検出電極２Ｅと接地電極Ｇ（２Ｃ）とに接触する。この接触により、検出電極２Ｅは接地電圧GNDとなる。これによりＴｒ３がオフ状態になって、bit３＝“Ｈ”となる。Ｔｒ２についてはベース電流が増加するがオン状態にあることは変わらず、bit２＝“Ｈ”になる。一方、検出電極２Ｄについては、中央電極２Ａと接触せずにＯＰＥＮ状態のままであるため、bit０、bit１についてはニュートラル状態と同様にbit０＝”Ｌ“、bit１＝“Ｈ”となる。
【０１２７】
前記した図７では、電源電極と検出電極の組みと接地電極と検出電極の組みの各１組みを用いて構成しているが、電源電極と検出電極の組みと接地電極と検出電極を複数組みを用いて構成としてもよい。図８は、電源電極と検出電極の組みをそれぞれ３組み用いた構成例を示している。この構成によって。６方向の傾きを検出することができる。
【０１２８】
前記した構成例では、複数の傾き検出センサのうち一つの傾き検出センサを電源に常に接続し、他の傾き検出センサは、トリガー信号に基づいて電源を接続する構成としている。図９は、この構成を簡略化して示している。図９では、電源１によって、センサ１、通信部、計時クロックを常時駆動させておき、トリガー信号に基づいて、他のセンサ２〜４、表示部を電源２によって駆動する構成を示している。なお、ここでは、ＣＰＵによって制御を行う構成を示している。
【０１２９】
これに対して、図１０に示す構成例は、センサ１に加えてセンサ２についても電源１によって常時駆動する構成を示している。この構成によれば、第１の検出状態から第２の検出状態への切り換えを、センサ１が検出する傾き方向とセンサ２が検出する傾き方向の２つの方向をトリガとして行うことができる。
【０１３０】
また、図１１に示す構成例は、常時駆動するセンサを選択自在とする構成を示している。通信部と計時クロックは、電源１によって常時駆動し、センサ１〜４は選択回路によって常時駆動するものを選択可能とする。例えば、センサ１を常時駆動する場合には、選択回路によってセンサ１〜４の中からセンサ１を選択して電源１によって常時駆動し、他のセンサ２〜４については、トリガー信号に基づいて電源２によって駆動する。ここで、常時駆動するセンサを何れとするかを、例えば記憶手段に選択センサを記憶しておき、選択回路に設定することで行うことができる。
【０１３１】
また、図１２に示す構成例は、選択によらずに常時駆動するセンサと、選択によって常時駆動するセンサを含む構成を示している。図１２の構成では、センサ１については、電源１によって常時駆動しておき、センサ２〜４については、選択回路によって常時駆動するセンサを選択する構成例を示している。
【０１３２】
図１１，１２の構成によれば、必要に応じて常時駆動するセンサを選択することができ、回路の自由度を高めることができる。
【０１３３】
上記説明では、受信部等の通信機能を有した電子腕時計に傾斜検出装置を備える構成例を示しているが、本発明の傾斜検出装置は、携帯通信機器に対しても適用することができる。
【０１３４】
また、時計や通信機能に限らず、腕装着型の情報機器において、表示部を視認する姿勢（傾斜検出装置が所定の傾斜状態）になったことを自動的に検出して、照明装置を自動的に点灯させることなどにも適用することができる。
【図面の簡単な説明】
【０１３５】
【図１】本発明の傾斜検出装置の概略構成を説明するための図である。
【図２】本発明の傾斜検出装置の動作例を説明するためのフローチャートである。
【図３】本発明の傾斜検出装置を電子腕時計に提供した場合の構成例を説明するための図である。
【図４】本発明の傾斜検出装置を電子腕時計に適用した場合の動作例を説明するためのフローチャートである。
【図５】本発明の傾斜検出装置を取り付けた電子腕時計の傾き状態を説明するための図である。
【図６】本発明の第１の傾き検出センサおよび第２の傾き検出センサの傾き状態を説明するための図である。
【図７】本発明の傾斜検出部の傾き検出センサの一構成例を説明するための図である。
【図８】電源電極と検出電極の組みをそれぞれ３組み用いた傾き検出センサの構成例を示す図である。
【図９】本発明の傾斜検出装置の複数の傾き検出センサの電源接続を説明するための図である。
【図１０】本発明の傾斜検出装置の複数の傾き検出センサの別の電源接続を説明するための図である。
【図１１】本発明の傾斜検出装置の複数の傾き検出センサの別の電源接続を説明するための図である。
【図１２】本発明の傾斜検出装置の複数の傾き検出センサの別の電源接続を説明するための図である。
【符号の説明】
【０１３６】
１  傾斜検出装置
２  傾斜検出部
２ａ〜２ｄ  傾き検出センサ
２ｅ  切換部
２Ａ  中央電極
２Ｂ  電源電極
２Ｃ  接地電極
２Ｄ，２Ｅ  検出電極
３ａ，３ｂ  電源
４  検出方向制御部
５  傾き判別部
１１，２１  スイッチ部
１２，２２  通信部
１３  機能部
１４，２４  表示制御部
１５，２５  表示部
２０  電子腕時計
２３  計時部
３１，３２  電源制御端子
３３，３４  電源制御回路
３５，３６  電源制御トランジスタ
３７，３８  検出回路
【図１】
2007271464.tif 000004
【図２】
2007271464.tif 000005
【図３】
2007271464.tif 000006
【図４】
2007271464.tif 000007
【図５】
2007271464.tif 000008
【図６】
2007271464.tif 000009
【図７】
2007271464.tif 000010
【図８】
2007271464.tif 000011
【図９】
2007271464.tif 000012
【図１０】
2007271464.tif 000013
【図１１】
2007271464.tif 000014
【図１２】
2007271464.tif 000015